(57)【要約】  ある車両の内部の少なくとも一部を形成するように、この車両の内部に展開することができる客室モジュール（２０）。本客室モジュールは、本体（２２）と複数の外壁（２４、２６）とを備える。これら複数の外壁の１つ又は複数は、本体（２２）に対して移動可能である。本モジュールは、車両の外側で収納のための閉鎖配置を有し、ここで複数の外壁は、本モジュールの第１のフォームファクタの少なくとも一部を画定している。本モジュールは、車両内で動作展開するための開放配置を有し、ここで複数の外壁（２４、２６）は、本モジュールの第２のフォームファクタの少なくとも一部を画定している。本客室モジュールは、１つ又は複数の外壁（２４、２６）を移動させることにより、閉鎖配置と開放配置との間で可逆的に変化可能である。第１のフォームファクタは第２のフォームファクタとは異なっている。【選択図】図２Ａ
2021515725.tif 000002
【特許請求の範囲】
【請求項１】
ある車両の内部の少なくとも一部を形成するように、前記車両の内部に展開することができる客室モジュールであって、前記客室モジュールは、
本体と、
複数の外壁であって、前記複数の外壁の１つ又は複数が前記本体に対して移動可能である、複数の外壁と
を備え、
ここで
前記モジュールは、前記車両の外側で収納のための閉鎖配置を有し、ここで前記複数の外壁は、前記モジュールの第１のフォームファクタの少なくとも一部を画定しており、
前記モジュールは、前記車両内で動作展開するための開放配置を有し、ここで前記複数の外壁は、前記モジュールの第２のフォームファクタの少なくとも一部を画定しており、
前記客室モジュールは、前記１つ又は複数の外壁を移動させることにより、前記閉鎖配置と前記開放配置との間で可逆的に変化可能であり、また、
前記第１のフォームファクタは前記第２のフォームファクタとは異なっている、
客室モジュール。
【請求項２】
前記第１のフォームファクタが第１の容積を画定し、
前記第２のフォームファクタが第２の容積を画定し、
前記第２の容積は前記第１の容積よりも大きい、
請求項１に記載の客室モジュール。
【請求項３】
前記第１の容積が略閉鎖された容積であり、前記第２の容積が略開放された容積である、請求項２に記載の客室モジュール。
【請求項４】
前記開放配置にある前記客室モジュールの設置面積は、前記閉鎖配置にある前記客室モジュールの設置面積よりも大きい、請求項１から３のいずれか一項に記載の客室モジュール。
【請求項５】
前記複数の外壁が、前記本体に対して移動することができる、移動可能な略平面状の壁を含み、
前記閉鎖配置では、前記略平面状の壁が第１の位置に配置され、また
前記開放配置では、前記略平面状の壁が第２の位置に配置され、これによって前記モジュールの床の少なくとも一部を形成している、
請求項１から４のいずれか一項に記載の客室モジュール。
【請求項６】
前記略平面状の壁が、前記略平面状の壁の縁部を中心に前記本体に対して枢動可能である、請求項５に記載の客室モジュール。
【請求項７】
前記モジュールが前記閉鎖配置にあるときの収納位置と、前記モジュールが前記開放配置にあるときの展開位置とを有する備品を備え、ここで前記備品が、前記外壁の１つ又は複数の移動に応答して、前記収納位置と前記展開位置との間で移動可能である、請求項１から６のいずれか一項に記載の客室モジュール。
【請求項８】
前記備品が折り畳み式であり、前記外壁の１つ又は複数の移動に応答して、前記収納位置と前記展開位置との間で可逆的に折り畳まれたり、展開されたりすることができる、請求項７に記載の客室モジュール。
【請求項９】
前記備品が、前記外壁の１つ又は複数の移動に応答して、前記収納位置と前記展開位置との間で前記モジュールに対してスライド可能である、請求項７又は請求項８に記載の客室モジュール。
【請求項１０】
ロック位置とロック解除位置とを有するロック機構を備え、前記ロック機構が、前記ロック位置と前記ロック解除位置との間で移動可能であり、また、前記ロック機構が、前記ロック機構が前記ロック位置にあるとき、前記モジュールを前記開放配置に保持できるように構成されている、請求項１から９のいずれか一項に記載の客室モジュール。
【請求項１１】
前記ロック機構が前記ロック解除位置にあるとき、前記外壁の１つ又は複数が前記閉鎖配置と前記開放配置との間で移動することができる、請求項１０に記載の客室モジュール。
【請求項１２】
前記ロック機構が、前記ロック機構が前記ロック位置にあるとき、前記モジュールを前記閉鎖配置に保持できるように構成されている、請求項１０又は請求項１１に記載の客室モジュール。
【請求項１３】
前記モジュールを前記開放配置に保持できるように、前記ロック機構が前記車両の少なくとも一部と協働することができる、請求項１０から１２のいずれか一項に記載の客室モジュール。
【請求項１４】
前記客室モジュールが、１人又は複数の乗客とやり取りするための乗客用客室モジュールであり、また
前記客室モジュールが、
ジム、
スパ、
バー、
ゲームエリア、
座席エリア、及び
就寝エリアのうちの１つ又は複数として構成されている、
請求項１から１３のいずれか一項に記載の客室モジュール。
【請求項１５】
請求項１から１４のいずれか一項に記載の客室モジュールを備える車両。
【請求項１６】
前記車両が航空機である、請求項１から１５のいずれか一項に記載の車両又は客室モジュール。
【発明の詳細な説明】
【技術分野】
【０００１】
本開示は、客室モジュールに関する。
【背景技術】
【０００２】
航空業界は急速に進化しており、航空機メーカーは、顧客体験を向上させ、航空機において追加機能をもたらすような新たな方法を常に考案し続けている。近年では、モジュールを使用して航空機の内部を再構成することができるプロジェクトが提案されている。たとえば、その航空機の望ましい形態に応じて、航空機の内外でモジュールを入れ替えることにより、スパ、カフェ又はジムなどの様々な利用体験をもたらすことができる。
【発明の概要】
【発明が解決しようとする課題】
【０００３】
ただし、これらの提案では、モジュールの外部フォームファクタは航空機の内部フォームファクタに略対応しており、たとえば、航空機の客室内部と同一の外部曲率を有する。この点において、モジュールを使用することが想定される航空機の標準的なサイズというものがあるため、これに対して当該モジュールが大きく場所をとる可能性があり、モジュールの地上取扱いで問題が発生する恐れがある。
たとえば空港のレイアウトによって航空機駐機場のスペースに制限がある可能性があるため、これによって空港の航空機駐機場でモジュールを取扱う際に困難が生じる恐れがある。その上、これらのモジュールのサイズを考慮すると、これらが航空機に搭載されていない場合は、その収納及び搬送が困難になる恐れがある。標準的な空港には収納専用のスペースがそれほどない可能性があるため、こうしたモジュールを採用して効率的に取り扱うためには、空港を大幅に再構築する必要が生じ得る。
【０００４】
また、このようなモジュールは、エアバスＡ３３０−２２０Ｆ、ボーイング７３７−７００Ｃ、ボーイング７７７フレイターなどの「貨物」型航空機、又は艤装を施していない標準的な航空機での使用に限定される可能性がある。貨物型航空機には通常、周辺／側部及び／又は天井の艤装品又は区画などの内部艤装が、ほとんど又は全く施されていない場合がある。その上、このような航空機には通常窓がない。また、それらをモジュールと共に使用する状況では、モジュールの断面積に対応する貨物ドアが通常必要になり得る。提案されているモジュールは一般にプレハブ式であり、航空機のサイズに対応しているため、ドアは大きくなり、しかも既存の航空機に後付けするにはコストがかかる恐れがある。その上、全ての機能及び艤装を概ねモジュールによってもたらす必要があるため、これにより柔軟性が制限される可能性があり、また、窓がないために快適な搭乗体験が得られなくなる恐れがある。
【課題を解決するための手段】
【０００５】
本開示の例は、上記の課題に対処するか、又は少なくとも緩和しようとするものである。
【０００６】
第１の態様では、ある車両の内部の少なくとも一部を形成するように、この車両の内部に展開することができる客室モジュールであって、本客室モジュールは、本体と、複数の外壁であって、これら複数の外壁の１つ又は複数がこの本体に対して移動可能である、複数の外壁とを備え、ここで本モジュールは、車両の外側で収納のための閉鎖配置を有し、ここで複数の外壁は、本モジュールの第１のフォームファクタの少なくとも一部を画定しており、本モジュールは、車両内で動作展開するための開放配置を有し、ここで複数の外壁は、本モジュールの第２のフォームファクタの少なくとも一部を画定しており、本客室モジュールは、これら１つ又は複数の外壁を移動させることにより、閉鎖配置と開放配置との間で可逆的に変化可能であり、また、第１のフォームファクタは第２のフォームファクタとは異なっている、客室モジュールを提供する。
【０００７】
第２の態様では、第１の態様の客室モジュールを備える車両を提供する。他の態様及び特徴は、添付の特許請求の範囲において定義されている。
【０００８】
たとえば、本客室モジュールの外部フォームファクタを閉鎖配置と開放配置との間で変化させて、たとえば本客室モジュールを、閉鎖配置にある地上側から、開放配置に展開され得る車両（航空機など）へと移動させてもよい。たとえば、開放配置のフォームファクタは、閉鎖配置の場合とは異なっている。このことは、本客室モジュールの移動及び収納をより容易に行えるようにするのに役立ち得る。
【０００９】
さらに、たとえば本客室モジュールは、車両への搭載若しくはこれからの取外しの間、又は閉鎖配置で収納若しくは搬送を行うために、地上で取り扱われ得る。たとえば、本客室モジュールが車両で動作展開される開放配置にある場合、これにより本モジュールを使用して、レストラン、遊び場、ジム、座席、寝具、又は他の機能などの所望の様々な機能をもたらすことができる。したがって、たとえばそのとき車両に望まれ得る内容に応じて、一例として各行程に対して適切な客室モジュールを搭載するか、又は取り外すことにより、車両を容易に再構成することができる。したがって、航空機などの車両には、ターンアラウンド時間が短く、しかも客室モジュールの取扱いがより容易かつ便利となる、より柔軟なレイアウトがもたらされ得る。
【００１０】
次に本開示の例について、同様の参照番号が同様の部分を指している添付の図面を参照しながら、例示としてのみ説明する。
【図面の簡単な説明】
【００１１】
【図１】本開示の例による、航空機の内部平面の概略図である。
【図２Ａ】本開示の例による、閉鎖配置と開放配置との間での客室モジュールの展開を概略的に示した図である。
【図２Ｂ】本開示の例による、閉鎖配置と開放配置との間での客室モジュールの展開を概略的に示した図である。
【図２Ｃ】本開示の例による、閉鎖配置と開放配置との間での客室モジュールの展開を概略的に示した図である。
【図２Ｄ】本開示の例による、閉鎖配置と開放配置との間での客室モジュールの展開を概略的に示した図である。
【図３】本開示の例による、本客室モジュールを展開することができる航空機の内部の概略図である。
【図４】本開示の例による、本客室モジュールを閉鎖配置にある状態で示した、航空機の内部の概略図である。
【図５】本開示の例による、閉鎖配置にある複数の多目的客室モジュールの概略図である。
【図６】本開示の例による、本客室モジュールの就寝用途の配置構成に対応する開放配置にある、多目的客室モジュールの概略図である。
【図７】本開示の例による、本客室モジュールのオフィスデスクへの着席を用途とした配置構成に対応する開放配置にある、多目的客室モジュールの概略図である。
【図８Ａ】本開示の例による、他の客室モジュールの内部に展開することができる複数の客室モジュールを概略的に示した図である。
【図８Ｂ】本開示の例による、他の客室モジュールの内部に展開することができる複数の客室モジュールを概略的に示した図である。
【図８Ｃ】本開示の例による、他の客室モジュールの内部に展開することができる複数の客室モジュールを概略的に示した図である。
【図９Ａ】本開示の例による、スパ施設として配置構成された客室モジュールの展開を概略的に示した図である。
【図９Ｂ】本開示の例による、スパ施設として配置構成された客室モジュールの展開を概略的に示した図である。
【図９Ｃ】本開示の例による、スパ施設として配置構成された客室モジュールの展開を概略的に示した図である。
【発明を実施するための形態】
【００１２】
客室モジュール及び車両の例を開示している。以下の説明では、本開示の例についての完全な理解をもたらすために、いくつかの特定の詳細を示している。ただし、本開示の例を実践するためにこれらの特定の詳細を使用する必要がないことは、当業者には明らかである。反対に、当業者に知られている特定の詳細を、これらの例を示すにあたり、明確さを期すために省略している。
【００１３】
図１は、本開示の例による、航空機の内部平面の概略図である。具体的には、図１は航空機１０を示している。いくつかの例では、当該航空機は、航空機１０の内部の少なくとも一部を形成するように当該航空機の内部に展開することができる、１つ又は複数の客室モジュールと協働できるように構成されている。
【００１４】
いくつかの例では、航空機１０の内部はいくつかのゾーンに分割され、各ゾーンは航空機の内部機能と関連付けられている。図１に示す例では、航空機１０は、ファーストクラスの設備が配置され得るファーストクラスゾーン１２（列０１及び列０２）と、ビジネスクラスの座席などのビジネスクラスの設備が見られるビジネスクラスゾーン１４（列０６及び列０７）と、１つ又は複数の客室モジュールをその内部に適切に配置することにより、様々な設備又は機能をもたらすことができるように構成され得る構成可能ゾーン１６（列０８〜列２９）と、プレミアムエコノミークラスの座席が見られるプレミアムエコノミーゾーン１８（列３０〜列３１）と、エコノミークラスの座席が見られるエコノミーゾーン１９（列３３〜列４６）とを備える。図１に示す例では、ボックス番号１、ボックス番号２、及びボックス番号３は、構成可能ゾーン１６内で客室モジュールが配置され得る位置を示す。
【００１５】
いくつかの例では、この構成可能ゾーン１６は、たとえば座席、休憩所、レストラン、バー、スパ、又は遊び場のうちの１つ又は複数などの機能をもたらす１つ又は複数の客室モジュールを含んでもよいが、ここでこれらの客室モジュールが他の機能をもたらし得ることは言うまでもない。構成可能ゾーン１６は、たとえば設計要件に応じて、航空機１０内部の客室空間の全体又は一部を包囲してもよい。
【００１６】
いくつかの例では、本客室モジュールの外部フォームファクタを閉鎖配置と開放配置との間で変化させて、たとえば本客室モジュールを、閉鎖配置にある地上側から、開放配置に展開され得る当該航空機内へと移動させてもよく、ここで、たとえば開放配置のフォームファクタの大きさは、閉鎖配置にあるときよりも大きい。このことは、本客室モジュールの移動及び収納をより容易に行えるようにするのに役立ち得る。すなわち、この閉鎖配置を、たとえば「使用中でない」配置と考えてもよく、またこの開放配置を「使用中の」配置と考えてもよい。
【００１７】
次に、この機能について、図２Ａ〜図２Ｄを参照しながらより詳述する。図２Ａ〜図２Ｄは、本開示の例による、閉鎖配置から開放配置への客室モジュールの展開を概略的に示している。具体的には、図２Ａ〜図２Ｄは客室モジュール２０の例を示している。いくつかの例では、客室モジュール２０は、航空機１０などの車両の内部の少なくとも一部を形成するように、この車両の内部に展開することができる。図２Ａ〜図２Ｄに示す例では、図面をより容易に理解できるように、椅子、ベッド、テーブル、又は本モジュールの所望の機能と関連付けられ得る他の構成部品若しくは備品などの機構のない、スケルトン形式で客室モジュール２０を示している。ただし、より一般的には、たとえば本開示の例による客室モジュールは、ジム、スパ、バー、ゲームエリア、座席エリア、及び就寝エリアのうちの１つ若しくは複数、又はそれらの１つ若しくは複数の部分として構成され得るが、他の構成又は配置もまた想定可能である。
【００１８】
図２Ａは、閉鎖配置にある客室モジュール２０を概略的に示している。いくつかの例では、この閉鎖配置は、客室モジュール２０を航空機１０の外側、たとえば空港又はオフサイト設備に設置された適切な収納場所に収納できるような形態であってもよい。いくつかの例では、客室モジュール２０は、本体２２と、第１の外壁２４及び第２の外壁２６などの複数の外壁とを備える。いくつかの例では、モジュール２０は図２Ａに示すような閉鎖配置を有し、ここでは複数の外壁が、モジュール２０の第１のフォームファクタの少なくとも一部を画定している。いくつかの例では、客室モジュール２０は、天井部２８及び床部３０を備える。いくつかの例では、本体２２は天井部２８及び床部３０を含むが、これら天井部若しくは床部のいずれか又は両方が省略されるか、或いは必要に応じて異なって配置されてもよいことが理解される。いくつかの例では、本体２２は、天井部２８を支持するように天井部２８を床部３０へと機械的に連結させるように配置された、一対の支持柱２９を含む。
【００１９】
いくつかの例では、外壁は、たとえば第１のフォームファクタに対応する閉鎖配置にある客室モジュール２０の外部が略立方体状となるように、一例として、互いに対して略直線状に配置されている。ただし、外壁の他の配置構成も想定可能であり、これらの外壁が湾曲しているか、又は他の適切な形状であり得ることが理解される。いくつかの例では、これら複数の外壁は、本体２２に対して移動可能な可動壁を含む。いくつかの例では、第１の外壁２４は、本体２２に対して移動可能な可動壁であるが、他の外壁のうちの１つ又は複数が、同様に又はその代わりに移動可能であってもよいことが理解される。すなわち、いくつかの例では、複数の外壁の１つ又は複数が、本体２２に対して移動可能であるということになる。いくつかの例では、天井部２８及び床部３０のうちの１つ又は複数も移動可能であってもよく、したがって、これらを同様に外壁であると見なしてもよい。すなわち、一例として外壁という用語は、たとえば本客室モジュールが閉鎖配置にあるとき、その外部を形成している本客室モジュールの壁、天井、床、底部その他などの本客室モジュールの一部を含むと見なすことができる。
【００２０】
いくつかの例では、モジュール２０は、航空機１０などの車両内で動作展開するための開放配置を有する。この開放配置を、図２Ｄに示す例において概略的に例示している。図２Ｂ及び図２Ｃは、たとえば本モジュールが閉鎖配置と開放配置との間で移行しているときの、外壁の中間配置の例を示している。いくつかの例の開放配置では、複数の外壁は、本モジュールの第２のフォームファクタの少なくとも一部を画定している。いくつかの例では、第１の外壁２４は、閉鎖配置と開放配置との間で可逆的に移動可能である。いくつかの例では、第１のフォームファクタは第２のフォームファクタとは異なっている。より一般的には、いくつかの例では客室モジュール２０は、１つ又は複数の外壁を移動させることにより、閉鎖配置と開放配置との間で可逆的に変化可能である。
【００２１】
したがって、たとえば本客室モジュール２０の閉鎖配置により、一例として空港で本客室モジュールをより容易に搬送かつ収納してから、航空機１０にこれを展開して開放配置にすることができ、これによって航空機１０に所望の機能がもたらされることになる。
【００２２】
本開示の例にあっては、フォームファクタという用語は、一例として本客室モジュールの外壁によって画定されているエンベロープに対応する、たとえば本客室モジュールの形状及び／又はサイズを意味する。ただし、たとえば本客室モジュールのフォームファクタは、本客室モジュールの形状、サイズ、構成、及びレイアウトのうちの１つ又は複数に概して関連していることが理解される。
【００２３】
いくつかの例では、本客室モジュールは、第１のスライド可能部３２と第２のスライド可能部３４とを備える。いくつかの例では、第１のスライド可能部３２は第１の外壁２４を含み、第２のスライド可能部３４は第３の外壁（図示せず）を含む。いくつかの例では、第１のスライド可能部３２及び第２のスライド可能部３４は、本体２２に対してスライドさせることにより、本体２２に対して移動させることができる。
【００２４】
いくつかの例では、第１のスライド可能部３２は、天井部２８と協働して天井部２８内でスライドし、天井部２８によってこれを案内することができるように配置された、第１のスライド連結部３６を含む。
【００２５】
いくつかの例では、第２のスライド可能部３４は、天井部２８と協働して天井部２８内でスライドし、天井部２８によってこれを案内することができるように配置された、第２のスライド連結部３８を含む。
【００２６】
いくつかの例では、この航空機は、たとえば航空機の客室の床に凹部として形成されたガイドレール４０を備える。いくつかの例では、第１のスライド可能部３２及び第２のスライド可能部３４は、このガイドレール４０と協働して、スライド時にガイドレール４０に沿って案内され得るように配置されている。ただし、他の適切な配置構成も使用できることが理解される。
【００２７】
図２Ａ及び図２Ｂを参照すると、いくつかの例では、第１のスライド可能部３２及び第２のスライド可能部３４は、本体２２に対して、閉鎖配置に対応する第１の位置（図２Ａに示す）と、開放配置にあるそれらの位置に対応する第２の位置（図２Ｂに示す）との間で可逆的に移動できるように配置されている。いくつかの例では、客室モジュール２０は、本体２２に対して第１のスライド可能部３２及び第２のスライド可能部３４を移動させることができるように動作可能な、１つ又は複数のリニアアクチュエータを備える。いくつかの例では、これらのリニアアクチュエータは天井部２８内に格納されているが、設計要件に応じて、他の配置構成も想定可能であることが理解される。いくつかの例では、これらのリニアアクチュエータは電気機械的に操作されるが、空気圧操作、油圧操作、又は他の適切な構成も使用できることが理解される。
【００２８】
いくつかの例では、第１のスライド可能部３２及び第２のスライド可能部３４は、互いに略同時にかつ同一の速度で本体２２に対してスライドできるように配置されている。すなわち、いくつかの例では、第１のスライド可能部３２と第２のスライド可能部３４とは、本体２２に対して略対称となるように展開されてもよい。ただし、第１のスライド可能部３２及び第２のスライド可能部３４を第１の位置と第２の位置との間で移動させるとき、互いに異なる時間に、かつ異なる速度でこれらを移動させることができることが理解される。また、たとえば第１のスライド可能部３２、第２のスライド可能部３４、又はその両方を省略し、またこれらを、一例として固定された外壁と置き換えてもよい。
【００２９】
いくつかの例では、本客室モジュールは、ヒンジ式メインフロアパネル４２などの複数のヒンジ式メインフロアパネルを備える。いくつかの例では、ヒンジ式メインフロアパネル４２は略平面状であり、縁部４４を中心に床部３０に対して枢動できるように、縁部４４で床部３０に枢動可能に連結されている。いくつかの例では、ヒンジ式メインフロアパネル４２は縁部４４でヒンジによって床部３０に枢動可能に連結されているが、弾性カップリングなどの他の構成も使用できることが理解される。
【００３０】
たとえば、図２Ｂ及び図２Ｃを参照すると、閉鎖配置では、ヒンジ式メインフロアパネル４２は第１のメインフロアパネル位置にあるように配置されている。いくつかの例では、第１のメインフロアパネル位置は略垂直な位置（図２Ｂに示すように）であるが、他の適切な位置又は向きも使用できることが理解される。いくつかの例では、第１のスライド可能部３２及び第２のスライド可能部３４が第１の位置（図２Ａに示す）から第２の位置（図２Ｂに示す）へと移動した後、ヒンジ式メインフロアパネル４２は、たとえば本客室モジュールが開放配置にあるとき本客室モジュールの床の一部を形成するように、第１のメインフロアパネル位置から第２のメインフロアパネル位置へと移動できるように配置されている。いくつかの例では、第２のメインフロアパネル位置は略水平な位置（図２Ｃに示す）であるが、他の位置又は向きも使用できることが理解される。すなわち、ヒンジ式メインフロアパネル４２は、たとえば本客室モジュールが開放配置にあるとき、略水平に配置されてもよい。
【００３１】
いくつかの例では、縁部４４から離隔配置されているヒンジ式メインフロアパネル４２の外縁部４６は、本客室モジュールが開放配置にあり、またメインフロアパネルが水平位置にあるとき、第１のスライド可能部３２（又は必要に応じて第２のスライド可能部３４）と係合できるように配置されている。いくつかの例では、客室モジュール２０は、客室モジュール２０が開放配置にあるとき、外縁部４６を第１のスライド可能部３２へとロックするように動作可能な、メインフロアパネルロック機構を備える。このことは、本客室モジュールに剛性をもたらすとともに、たとえば航空機１０の移動中などに、偶発的な動きに対するさらなるレベルの安全性を提供するのに役立ち得る。
【００３２】
いくつかの例では、客室モジュール２０は、床部３０に対してメインフロアパネル（メインフロアパネル４２など）を移動させることができるように配置された、メインフロアパネル駆動機構を備える。いくつかの例では、このメインフロアパネル駆動機構は、床部３０に対してメインフロアパネルを枢動させることができるように配置された、空気圧アクチュエータ、電気機械アクチュエータ又は油圧アクチュエータなどの１つ又は複数のアクチュエータを含む。いくつかの例では、このメインフロアパネル駆動機構は、メインフロアパネルが水平位置などの第２のメインフロアパネル位置にあるとき、これらのメインフロアパネルと平らになるように、メインフロアパネルの隣接縁部間に配置されている。ただし、他の適切な配置構成も使用できることが理解される。
【００３３】
いくつかの例では、外壁２６は、本体２２に対して移動することができる、移動可能な略平面状の壁である。図２Ａ及び図２Ｂを参照すると、いくつかの例では、客室モジュール２０が閉鎖配置にあるとき、略平面状の壁（外壁２６）は、略垂直な位置などの第１の平面状の壁位置にあるように配置されるが、他の位置又は向きも想定可能である。いくつかの例では、開放配置においてこの略平面状の壁は、たとえば図２Ｄに示すように本モジュールの床を形成するように、略水平な位置などの第２の平面状の壁位置に配置されているが、他の適切な位置又は向きも使用できることが理解される。図２Ｃは、たとえば閉鎖配置から開放配置へ、又はその逆への移動中における、外壁２６の中間配置の例を概略的に示している。
【００３４】
いくつかの例では、外壁２６は本体２２に対し、外壁２６の第１の縁部４８を中心に枢動可能（回転可能）である。具体的には、いくつかの例では、外壁２６は、第１の縁部４８で床部３０へと枢動可能に連結されている。いくつかの例では、客室モジュール２０は、外壁２６が床部３０に対してこれを中心に枢動できるように配置された、縁部４８に位置するヒンジを備える。すなわち、たとえば外壁の１つ又は複数を、本体２２に対して折り畳み可能であり得る。メインフロアパネル４２を展開する際に使用されるものと同様の駆動機構を使用して、外壁２６を移動させてもよいが、これは設計要件によって異なり得ることが理解される。
【００３５】
いくつかの例では、客室モジュール２０は、第１のサイドフロアパネル５２及び第２のサイドフロアパネル５４などの複数のサイドフロアパネルを備える。いくつかの例では、これらのサイドフロアパネルは略平面状である。いくつかの例では、第１のサイドフロアパネル５２は、第１のサイドフロアパネル５２と外壁２６との間に位置する第１のサイドフロアパネル５２の縁部５６で、外壁２６へと枢動回可能に連結され、これによって縁部５６を中心に枢動又は枢着することができる。いくつかの例では、客室モジュール２０が閉鎖配置にあるとき、第１のサイドフロアパネル５２は、第２のサイドフロアパネル５４と略同一平面になるように配置されている。
【００３６】
いくつかの例では、第２のサイドフロアパネル５４は、第２のサイドフロアパネル５４と第１のサイドフロアパネル５２との間に位置する第２のサイドフロアパネル５４の縁部５８で、第１のサイドフロアパネル５２に枢動可能に連結され、これによって縁部５８を中心に枢動又は枢着することができる。このような配置構成にすることは、たとえば外壁２６を垂直位置と水平位置との間で移動させるときに、サイドフロアパネルが屋根部２８に引っ掛かるか、又は接触する可能性を低減するのに役立ち得る。
【００３７】
いくつかの例では、これらのサイドフロアパネルは、客室モジュール２０が閉鎖配置にあるとき、略垂直な向きを有するような第１のサイドフロアパネル位置にあり、また、たとえば本客室モジュールが開放配置にある場合に床を形成できるように、客室モジュール２０が開放配置にあるときは、略水平な向きを有するような第２のサイドフロアパネル位置にある。メインフロアパネル４２を展開するか、又は移動させる際に使用されるものと同様の駆動機構を使用して、これらのサイドフロアパネルを移動させてもよいが、駆動機構は異なり得ることが理解される。いくつかの例では、外壁２６及びこれに対応するサイドフロアパネルと同様の配置構成を、客室モジュール２０において外壁２６の反対側にある外壁５０に使用してもよい。さらに、いくつかの例では、外壁２６及び外壁５０に対するサイドフロアパネルの配置構成は、客室モジュール２０の各角部について略同一であるが、これは設計要件によって異なり得ることが理解される。
【００３８】
次に、図２Ａ〜図２Ｄを参照しながら、客室モジュール２０を閉鎖配置から開放配置へと展開するための展開シーケンスについて説明する。
【００３９】
上記のように、図２Ａは、閉鎖配置にある客室モジュール２０の例を示している。いくつかの例では、客室モジュール２０は、たとえば、客室モジュールの底部において外壁の周辺部によって画定されている面積に対応する、第１の設置面積を有する。
【００４０】
いくつかの例では、閉鎖配置にあった第１のスライド可能部３２及び第２のスライド可能部を、本体２２に対して第１の位置から第２の位置へと（たとえば図２Ｂに示すように）スライドさせてもよい。メインフロアパネル４２などのメインフロアパネルを、次いで床部３０に対して垂直位置（図２Ｂに示す）から水平位置（図２Ｃに示す）へと移動させて、開放配置にある本客室モジュールの床の一部を形成させてもよい。図２Ｂから図２Ｃを経て図２Ｄへと進むと、いくつかの例では、外壁２６及び外壁５０を床部３０に対して枢動させ、これによって垂直位置（図２Ａ及び図２Ｂに示す）から水平位置（図２Ｄに示す）へと移動させてもよい。いくつかの例では、外壁２６が水平位置に位置し、たとえば開放配置にある客室モジュール２０の床の一部を形成すると、サイドフロアパネルを水平位置へと移動させることができる。
【００４１】
たとえば図２Ｄを参照した場合、外壁２６が水平位置にあると（図２Ｄに示すように）、第１のサイドフロアパネル５２及び第２のサイドフロアパネル５４を、これらの両方が水平位置に位置するまで、第１のサイドフロアパネル５２の縁部５６を中心に、外壁２６に対して９０度枢動させることになる。いくつかの例では、第２のサイドフロアパネル５４を、次いで縁部５８を中心にサイドフロアパネル５２に対して１８０度枢動させることにより、第２のサイドフロアパネル５４が第１のサイドフロアパネル５２及び外壁２６に隣接するようにしている。他のサイドフロアパネルを展開する場合も、同様の手順を実行することができる。
【００４２】
いくつかの例では、上記の展開シーケンスを逆転させることにより、本客室モジュールを開放配置から閉鎖配置へと移動（収納）させてもよいが、このシーケンスの動作を他の適切な順序で実行してもよいことが理解される。
【００４３】
いくつかの例では、これらの外壁２６及び５０の移動及び展開は、メインフロアパネル４２などのメインフロアパネルの移動と略同時に起こってもよい。ただし、これは異なる時間に、たとえば連続して起こり得ることが理解される。また、スライド可能部、外壁、メインフロアパネル、及びサイドフロアパネルなどの客室モジュール２０の可動機構を、閉鎖配置から開放配置へと、又は開放配置から閉鎖配置へと、任意の適切な順序で移動又は展開できることが理解される。すなわち、いくつかの例ではより一般的に、本客室モジュールの１つ又は複数の構成要素は、客室モジュール２０のフォームファクタが閉鎖配置と開放配置との間で変化できるように、互いに対して移動可能である、かつ／又は折り畳み可能であってもよい。
【００４４】
いくつかの例では、客室モジュール２０は、開放配置における第２の設置面積を有する。いくつかの例では、この第２の設置面積は、たとえば本客室モジュールが配置される際に接触する、航空機の客室の床などの面を例とする、サイドフロアパネル、スライド可能部、外壁、メインフロアパネルに相当するような、本客室モジュールの底部の周辺部によって画定される面積に対応している。すなわち、いくつかの例では、たとえば図２Ａと図２Ｄとを比較することにより示すように、開放配置にある本客室モジュールの設置面積は、閉鎖配置にある本客室モジュールの設置面積よりも大きい。
【００４５】
いくつかの例では、第１のフォームファクタは第１の容積を画定し、第２のフォームファクタは第２の容積を画定している。たとえば、図２Ａを参照すると、外壁、天井部２８及び床部３０は第１のフォームファクタに対応しており、また、たとえば客室の容積などの第１の容積を、客室モジュール２０の外面に基づくものとして画定している。いくつかの例では、第２の容積は第１の容積よりも大きい。いくつかの例では、第１の容積は略閉鎖された容積であり、第２の容積は略開放された容積である。一例として、開放容積は、たとえば本客室モジュールの内部に接近できることを意味するように解釈されてもよいが、その一方で閉鎖容積は、一例として本客室モジュールの内部が、たとえば入口から内部へと外面又は外壁によってもたらされる本客室モジュールの外部によって保護され得るか、又は遮蔽され得る状態など、たとえば閉鎖配置に関連していてもよい。
【００４６】
次に、客室モジュール２０などの客室モジュールを航空機１０に展開する例について、図３及び図４を参照しながら説明する。図３は、本開示の例による、本客室モジュールを展開することができる航空機の内部の概略図であり、図４は、本開示の例による、本客室モジュールを閉鎖配置にある状態で示した、航空機の内部の概略図である。いくつかの例では、上記のガイドレール４０と同様のものなど、複数の凹型ガイドレール４０ａ〜４０ｆが航空機１０の床に形成されている。
【００４７】
航空機１０に１つ又は複数の客室モジュールを搭載するために、貨物コンテナの取扱い時に使用されるような手動又は自動化されたプロセスを使用してもよい。取扱いを容易にしやすくするために、本客室モジュールを閉鎖配置にある状態で移動させてもよい。このことは、悪天候で発生する水汚れなどの環境災害から本客室モジュールの内部を保護するのにも役立ち得る。また、いくつかの例では、閉鎖配置におけるフォームファクタは開放配置におけるフォームファクタよりも小さいので、本客室モジュールの取扱い及び操作がより簡単になり得る。さらに、たとえば本モジュールの航空機への搭載又はこれからの取外しに必要となる貨物ドアなどのドアを、より小さくかつより簡素なものにすることができる。窓や側部の頭上ロッカーなどの一部の既存艤装品もまた、既存の航空機（たとえば、いわゆるワイドボディ航空機）を本開示の例による１つ又は複数の客室モジュールで動作できるように改造することになった場合に、保持できる可能性が高くなる。いくつかの例では、客室モジュールの搭載及び取外しに対応するために、たとえば設計要件によって、１つ又は複数の貨物ドアを既存の航空機に後付けしたり、必要に応じて改修したりしてもよい。
【００４８】
いくつかの例では、客室モジュール２０は、客室モジュール２０を閉鎖配置に固定できるように構成された、安全ロック機構を備える。より一般的には、いくつかの例では客室モジュール２０は、ロック位置とロック解除位置とを有するロック機構を備え、このロック機構は、ロック位置とロック解除位置との間で移動可能である。いくつかの例では、ロック機構は、このロック機構がロック位置にあるとき、本モジュールを閉鎖配置に保持できるように構成されている。ロック機構（安全ロック機構）は、たとえば客室モジュール２０が航空機に搭載されている最中に、外壁の偶発的な展開又は移動を防止するのに役立ち得る。いくつかの例では、ロック機構がロック解除位置にあるとき、外壁の１つ又は複数は閉鎖配置と開放配置との間で移動することができる。
【００４９】
いくつかの例では、ロック機構は、このロック機構がロック位置にあるとき、客室モジュール２０を開放配置に保持できるように構成されている。いくつかの例では、本客室モジュールを開放配置に保持できるように、このロック機構は航空機の少なくとも一部と協働することができる。たとえば、外壁又はスライド可能部を、ロック機構によってガイドレールにロックしてもよい。
【００５０】
いくつかの例では、客室モジュール２０は、客室モジュール２０が、たとえば航空機に対して又は地上にあるときに、動き回ることができるように、複数の車輪又はローラを備える。いくつかの例では、１つ又は複数の客室モジュールを、たとえば図２Ａ〜図２Ｄを参照しながら上述した展開シーケンスに従って、それらが閉鎖配置から開放配置へと展開され得る所望の位置に移動させる。
【００５１】
いくつかの例では、客室モジュール２０は位置センサなどの複数の客室モジュールセンサを備え、これにより、本客室モジュールの構成要素の相対位置を検出できるようになっている。いくつかの例では、客室モジュール２０は、これらの客室モジュールセンサと通信するように動作可能な制御ユニットを備える。たとえば、この制御ユニットは、客室モジュールセンサからの情報に基づいて、本客室モジュールが閉鎖配置、開放配置、又は中間配置にあるかどうかを判定するように動作可能である。さらに、いくつかの例では、制御ユニットは、閉鎖配置と開放配置との間での本客室モジュールの移動を制御するように動作可能である。
【００５２】
いくつかの例では、制御ユニットは、航空機に対する本客室モジュールの相対位置を検出するように動作可能な、相対位置センサを含む。いくつかの例では、この相対位置センサは無線周波数識別（ｒａｄｉｏ  ｆｒｅｑｕｅｎｃｙ  ｉｄｅｎｔｉｆｉｃａｔｉｏｎ：ＲＦＩＤ）センサを含むが、無線周波数三角測量、レーザ測位若しくは音波測位、又はコンピュータビジョン及び画像処理センサなどの他の位置センサも使用できることが理解される。これにより、たとえば制御ユニットは、本客室モジュールが所望の位置に配置されているかどうかを判定することができる。
【００５３】
これらの客室モジュールが、たとえば制御ユニットによって判定されるような所望の位置にあるとき、これらは航空機からの電源、及び娯楽ネットワークなどの他のシステム、並びに酸素供給源などの安全装置へと接続されていてもよい。いくつかの例では、これは適切な自動化システムを介して自動的に達成されてもよい。他の例では、本客室モジュールを手動で接続することができる。
【００５４】
また、いくつかの例では、客室モジュール２０によって自身が所望の又は必要な位置にあることが検出される（たとえば図４に示すように）と、制御ユニットは、たとえばガイドレール４０と係合する適切なインターロック機構を介して、本客室モジュールに自身をその適切な位置にロックさせるように動作可能となる。
【００５５】
いくつかの例では、制御ユニットは、地上処理システムから受信するロック解除信号又は地上勤務員のメンバーなどのユーザによる入力に応答して安全ロック機構を解除することにより、本客室モジュールを閉鎖配置から開放配置へと移動させることができるように動作可能となる。いくつかの例では、制御ユニットは、次いで本客室モジュールを閉鎖配置から開放配置へと展開させてもよい。
【００５６】
本客室モジュールが開放配置へと展開されると、いくつかの例では制御ユニットは、たとえば地上処理システムへと送信され、本客室モジュール上で視覚的に表示され得る、使用準備完了信号を生成して出力するように動作可能となる。いくつかの例では、この使用準備完了信号は、客室モジュール２０が開放配置で展開されて、使用準備ができていることを示す。
【００５７】
いくつかの例では、本客室モジュールの取外しは、たとえば本客室モジュールの可動構成部品を収納することにより、上記のシーケンスを逆転させている。いくつかの例では、客室モジュールセンサは、たとえば他の構成部品に対する１つ又は複数の構成部品の移動に対応して、本客室モジュールの１つ又は複数の構成部品が受ける力負荷を検出するように動作可能である。たとえば、負荷力が閾値負荷を超えていることが検出された場合、その力負荷に関連した客室モジュールの１つ又は複数の構成部品（たとえば外壁、スライド可能部、又はフロアパネルなど）の移動を停止させてもよい。このことは、１つ又は複数の構成部品の損傷を防止するのに役立ち得る。
【００５８】
航空機で複数の客室モジュールを使用する場合は、各客室モジュールに同様の手順を使用してもよい。さらに、本客室モジュールを、動作要件に応じて、互いに略同時に、又は異なる時間に展開してもよい。いくつかの例では、制御ユニットは、本客室モジュールの構成要素及び構成部品が展開又は収納される順序及びタイミングを制御するように、動作可能である。ただし、様々な構成部品が展開又は収納される順序もまた、それらの機械的構成によって異なる可能性があることがさらに理解される。
【００５９】
上記のように、いくつかの例では、本開示の例による客室モジュールは、異なる機能を有するように構成されてもよい。いくつかの例では、たとえば客室モジュール２０などの客室モジュールと協働するように、又は独立型の客室モジュールとして、多目的客室モジュールを使用してもよい。いくつかの例では、多目的客室モジュールは、１つ又は複数の外壁を移動させることにより、閉鎖配置と開放配置との間で可逆的に変化可能に構成されてもよい。いくつかの例では、多目的客室モジュールの開放配置及び閉鎖配置は、上記の客室モジュール２０の場合と略同一の方法で画定されている。
【００６０】
次に、本開示の例による多目的客室モジュールについて、図５〜図７を参照しながら説明する。図５は、本開示の例による、閉鎖配置にある複数の多目的客室モジュールの概略図である。図６は、本開示の例による、本客室モジュールの就寝用途の配置構成に対応する開放配置にある、多目的客室モジュールの概略図である。図７は、本開示の例による、本客室モジュールのオフィスデスクへの着席を用途とした配置構成に対応する開放配置にある、多目的客室モジュールの概略図である。
【００６１】
具体的には図５は、第１の多目的客室１００、第２の多目的客室２００、第３の多目的客室３００、及び第４の多目的客室４００を備える複数の多目的客室を概略的に示している。いくつかの例では、客室モジュール１００、客室モジュール２００、客室モジュール３００及び客室モジュール４００は、互いに略同一である。ただし、これらのうちの１つ又は複数が互いに異なり得ることが理解される。
【００６２】
いくつかの例では、客室モジュール１００は、客室モジュール１００と客室モジュール２００とが協働して所望の客室機能をもたらすことができるように、客室モジュール２００に対して配置されている。いくつかの例では、客室モジュール３００及び４００は、客室モジュール１００及び２００と同様の方法で配置されている。いくつかの例では、客室モジュール１００は、外壁１０２及び外壁１０４などの複数の外壁を備える。いくつかの例では、客室モジュール１００の外壁は略平面状であるが、他の形状及び配置構成も使用できることが理解される。
【００６３】
いくつかの例では、客室モジュール１００は、客室モジュール１００の屋根又は天井を形成している天井部１０６を備える。いくつかの例では、この天井部は、１つ若しくは複数の外壁を介して、又は客室モジュール１００の本体を形成している客室モジュール１００の内部構造によって、本客室モジュールの底部に連結されている。いくつかの例では、外壁１０４は、内部構造などの客室モジュール１００の本体に対して移動可能である。いくつかの例では、外壁１０２は固定された外壁である。いくつかの例では、外壁１０４は、閉鎖配置にあるとき（たとえば図５に示すような）の略垂直な向きから、開放配置にあるとき（たとえば図６に示すような）の略水平な配置へと移動できるように、客室モジュール１００の底部を中心に枢動可能である。いくつかの例では、本体に対する外壁１０４の配置構成は、外壁２６を参照しながら上述したものと同様又は略同一であってもよい。
【００６４】
いくつかの例では、客室モジュール２００は、外壁２０２、外壁２０４、及び外壁２０８などの複数の外壁を備える。いくつかの例では、客室モジュール２００の外壁は略平面状であるが、他の形状及び配置構成も使用できることが理解される。
【００６５】
いくつかの例では、客室モジュール２００は、客室モジュール２００の屋根又は天井を形成している天井部２０６を備える。いくつかの例では、この天井部は、１つ若しくは複数の外壁を介して、又は客室モジュール２００の本体を形成している客室モジュール２００の内部構造によって、本客室モジュールの底部に連結されている。いくつかの例では、外壁２０４は、内部構造などの客室モジュール２００の本体に対して移動可能である。いくつかの例では、外壁２０２及び外壁２０８は固定された外壁である。いくつかの例では、外壁２０４は、閉鎖配置にあるとき（たとえば図５に示すような）の略垂直な向きから、開放配置にあるとき（たとえば図６に示すような）の略水平な配置へと移動できるように、客室モジュール２００の底部を中心に枢動可能である。いくつかの例では、本体に対する外壁２０４の配置構成は、外壁２６を参照しながら上述したものと同様又は略同一であってもよい。
【００６６】
すなわち、いくつかの例ではより一般的に、複数の外壁は、本体に対して移動することができる、移動可能な略平面状の壁（外壁１０４又は外壁２０４など）を含む。いくつかの例では、閉鎖配置では、この略平面状の壁は略垂直な位置などの第１の位置に配置され、また開放配置では、この略平面状の壁は略水平な位置などの第２の位置に配置され、これによって本モジュールの床の少なくとも一部を形成している。より一般的には、いくつかの例では略平面状の壁は、略平面状の壁の縁部を中心に本体に対して枢動可能である。したがって、たとえば閉鎖配置にある多目的客室モジュールのフォームファクタは、開放配置にある多目的客室モジュールのフォームファクタと異なっていてもよい。
【００６７】
いくつかの例では、２つ以上の客室モジュールが協働して、所望の機能をもたらしてもよい。たとえば、図６を参照すると、客室モジュール１００は客室モジュール２００と協働して、第１のベッド５００、第２のベッド５０２、及び第３のベッド５０４を含む就寝設備をもたらしてもよい。いくつかの例では、開放配置にある間、たとえば適切な内部構成部品を設置することにより、１つ又は複数の客室モジュールを再構成して、異なる機能をもたらしてもよい。図６に示す例では、客室モジュール３００は、客室モジュール４００と協働して、第４のベッド５０６、第５のベッド５０８、快適な椅子５１０及びいくつかの柔らかいクッション５１２を含む混合型就寝及び座席設備をもたらしているように示している。いくつかの例では、第１のベッド５００は第２のベッド５０２の下に配置され、第４のベッド５０６は第６のベッド５０８の上に配置されてもよい。いくつかの例では、ベッド（ベッド５００、５０２、５０４、５０６、及び５０８など）は、たとえば必要としないときや１つ又は複数の客室モジュールが閉鎖配置にあるときに、それぞれの客室モジュールの本体内に折り畳んで収納することができる、１つ又は複数のマットレス支持構成部品を含む。いくつかの例では、椅子５１０も同様に、たとえば使用中でないときや客室モジュール３００が閉鎖配置にあるときに、客室モジュール３００の本体内で折り畳み可能であってもよい。クッション５１２は、たとえば客室乗務員が手動で収納してもよい。
【００６８】
たとえば図７を参照すると、椅子５１４などの複数のオフィスチェアを第２のベッド５０２のマットレス支持構成部品に対して配置し、その結果これらのマットレス支持構成部品をテーブルとして使用できるように、第１のベッド５００及び第３のベッド５０４は収納位置にある。図７に示す例では、第４のベッド５０６及び第５のベッド５０８のマットレス支持構成部品は、客室モジュール３００及び客室モジュール４００の本体内に収納され、これにより、それらのモジュールに向かって設置された椅子５１４に接近できるようにしている。図７の例では、椅子５１０は収納位置にある。
【００６９】
すなわち、いくつかの例では、客室モジュールは、本モジュールが閉鎖配置にあるときの収納位置と、本モジュールが開放配置にあるときの展開位置とを有する備品を備えてもよい。いくつかの例では、この備品は、外壁の１つ又は複数の移動に応答して、収納位置と展開位置との間で移動可能である。たとえば、第１の多目的モジュール１００及び第２の多目的モジュール２００が閉鎖配置から開放位置へと移動するときに、第１のベッド５００を展開させてもよい。より一般的には、いくつかの例ではこの備品は折り畳み式であり、収納位置と展開位置との間で可逆的に折り畳まれたり、展開されたりすることができる。いくつかの例では、この備品は外壁の１つ又は複数の移動に応答して、収納位置と展開位置との間で可逆的に折り畳まれたり、展開されたりすることができるように配置されている。
【００７０】
上記のように、いくつかの例では、客室モジュールは１つ若しくは複数の他の客室モジュール内で展開かつ／若しくは収納されてもよく（たとえば、客室内客室の配置構成）、又は独立型のユニットとして、若しくは他の客室モジュールと協働するように使用されてもよい。
【００７１】
図８Ａ〜図８Ｃは、本開示の例による、他の客室モジュールの内部に展開することができる複数の客室モジュールを概略的に示している。具体的には図８Ａは、客室モジュール６００、客室モジュール７００及び客室モジュール８００を備える複数の客室モジュールを示している。図８Ａの例では、客室モジュール６００、７００、８００を閉鎖配置にある状態で示している。図８Ｂに示す例では、客室モジュール６００、７００、８００を、閉鎖配置と開放配置との間の中間配置にある状態で示している。図８Ｃに示す例では、客室モジュール６００、７００、８００を、開放配置にある状態で示している。
【００７２】
いくつかの例では、これらの客室モジュール６００、７００、８００は、開放配置にあるときにゲームゾーン、バー、フィットネスセンター、カフェ、小売店又は自動販売機などの様々な機能として使用できるように、内部で構成されてもよい。図８Ａ〜図８Ｃの例では、客室モジュール６００は、たとえば映画又はＴＶ番組を視聴するためのオーディオビジュアル娯楽システムとして構成され、客室モジュール７００は、たとえばビデオゲームをプレイするためのゲームセンターとして構成され、また客室モジュール８００は、バー又はカフェとして構成されている。ただし、本開示の例による客室モジュールは、たとえばユーザ要件又はオペレータ要件に応じて、任意の適切な機能を有し得ることが理解される。
【００７３】
たとえば、本開示の例による客室モジュールと共に使用するために航空機を改造するような場合、開放配置にある１つ又は複数の客室モジュールの高さに応じて、中央の頭上ロッカーなどの一部の天井部艤装品が保持されてもよいが、ただし改修、艤装、又は改造の程度が設計要件によって異なり得ることが理解される。
【００７４】
いくつかの例では、客室モジュール６００は、外壁６０２及び外壁６０４などの複数の外壁を備える。いくつかの例では、客室モジュール６００の外壁は略平面状であるが、他の形状及び配置構成も使用できることが理解される。
【００７５】
いくつかの例では、客室モジュール６００は、客室モジュール６００の屋根又は天井を形成している天井部６０６を備える。いくつかの例では、この天井部は、１つ若しくは複数の外壁を介して、又は客室モジュール６００の本体を形成している客室モジュール６００の内部構造によって、本客室モジュールの底部に連結されている。いくつかの例では、外壁６０４は、内部構造などの客室モジュール６００の本体に対して移動可能である。いくつかの例では、外壁６０２は固定された外壁である。いくつかの例では、外壁６０４は、閉鎖配置にあるとき（たとえば図８Ａに示すような）の略垂直な向きなどの第１の位置から、開放配置にあるとき（たとえば図８Ｃに示すような）の略水平な配置などの第２の位置へと移動できるように、客室モジュール６００の底部を中心に枢動することができる。たとえば、外壁６０４を第２の位置（たとえば略水平な位置）に位置され得るように配置して、開放配置にあるモジュール６００の床の少なくとも一部を形成させている。いくつかの例では、客室モジュール７００は客室モジュール６００と略同一の外壁の配置構成を有するが、これは異なっている場合もある。
【００７６】
いくつかの例では、客室モジュール８００は、外壁８０２及び外壁８０４などの複数の外壁を備える。いくつかの例では、客室モジュール６００の外壁は略平面状であるが、他の形状及び配置構成も使用できることが理解される。
【００７７】
いくつかの例では、客室モジュール８００は、客室モジュール８００の屋根又は天井を形成している天井部８０６を備える。いくつかの例では、この天井部は、１つ若しくは複数の外壁を介して、又は客室モジュール８００の本体を形成している客室モジュール８００の内部構造によって、本客室モジュールの底部に連結されている。いくつかの例では、外壁８０４は、内部構造などの客室モジュール８００の本体に対して移動可能である。いくつかの例では、外壁８０２は固定された外壁である。いくつかの例では、外壁８０４は、閉鎖配置にあるとき（たとえば図８Ａに示すような）の第１の略垂直な位置などの第１の位置から、開放配置にあるとき（たとえば図８Ｃに示すような）の第２の略垂直な位置などの第２の位置へと移動できるように、客室モジュール８００の垂直縁部８０８を中心に枢動可能であり、ここで、閉鎖配置にある外壁８０４の第１の位置は、開放配置にある外壁８０４の第２の位置とは異なっている。すなわち、たとえば外壁８０４は、客室モジュール８００の例ではドアのように機能してもよい。
【００７８】
いくつかの例ではより一般的に、閉鎖配置にあるときの客室モジュール６００、７００、８００のフォームファクタは、開放配置にあるときの客室モジュール６００、７００、８００のそれぞれのフォームファクタとは異なっている。
【００７９】
いくつかの例では、本客室モジュールはバーカウンター８１０を備える。図８Ｂに示す例では、このバーカウンター８０１を、本客室モジュールが閉鎖配置にあるときの自身の位置に対応する、客室モジュール８００内の収納位置にある状態で示している。図８Ｃの例では、バーカウンター８１０を、開放配置に対応する展開位置にある状態で示している。いくつかの例では、バーカウンター８１０は、たとえば機械的リンク機構を介して、又は外壁８０４が開放配置に対応する第２の垂直位置にあるときに制御ユニットによって生成される展開駆動信号に応答して、外壁８０４の移動に応答して、収納位置から展開位置へと移動可能である。いくつかの例では、バーカウンター８１０は、たとえば適切な備品ガイドレールを使用して、又はたとえばローラ若しくは車輪上で、収納位置から展開位置へとスライドできるように配置されてもよい。より一般的には、いくつかの例では本客室モジュールは、外壁の１つ又は複数の移動に応答して、収納位置と展開位置との間で本モジュールに対してスライド可能に配置された備品を備える。いくつかの例では、備品はテーブル、椅子、スツール、ソファ、シート、ジム用器具、バー用備品、ベッド、デスク、オーディオ機器、オーディオビジュアル機器、又はコンピュータ機器などのうちの１つ又は複数を含んでもよいが、任意の適切な備品を使用できることが理解される。
【００８０】
いくつかの例では、客室モジュール６００、７００、及び８００のうちの１つ又は複数を、客室モジュール２０などの別の客室モジュール内に、又は客室モジュール１００、２００、３００、及び４００などの１つ若しくは複数の他の客室モジュールと協働するように展開してもよい。ただし、図８Ａ〜図８Ｃの例による客室モジュールは、たとえば設計要件に応じて、独立型ユニットとしても使用できることが理解される。いくつかの例では、航空機１０などの車両内部にある客室モジュール１００、２００、３００、４００、６００、７００、８００のうちの１つ又は複数の展開及び収納は、たとえば図４及び図５を参照しながら上記で説明したのと同様の方法で行ってもよいが、他の適切な技法も使用できることが理解される。さらに、いくつかの例では、備品、外壁、又は他の可動構成部品など、客室モジュール１００、２００、３００、４００、６００、７００、８００のうちの１つ又は複数の構成部品の展開及び収納を、図２Ａ〜図２Ｄ及び客室モジュール２０を参照しながら上述したものなどの１つ又は複数の駆動機構を使用して行ってもよい。
【００８１】
図９Ａ〜図９Ｃは、本開示の例による、スパ施設として配置構成された客室モジュールの展開を概略的に示している。具体的には図９Ａ〜図９Ｃは、スパ又はウェルネス施設として配置構成された、客室モジュール２０の例を概略的に示している。
【００８２】
いくつかの例では、閉鎖配置は、上の図２Ａに関して上述した配置に略対応している。図９Ａ及び図９Ｂは、閉鎖配置と開放配置との間における、客室モジュール２０の中間配置の例を概略的に示している。図９Ｃは、開放配置の例を概略的に示している。
【００８３】
図９Ａ〜図９Ｃの例では、客室モジュール２０は、たとえばスパ又はウェルネスセンターで典型的に見られるものに相当する複数の備品用品などの備品を備える。いくつかの例では、閉鎖配置にあるとき、備品は客室モジュール２０のフォームファクタ内の収納位置に位置している。客室モジュール２０を閉鎖配置から開放配置へと展開すると、備品を収納位置から１つ又は複数の展開位置へと移動させることができる。いくつかの例では、この備品は、外壁２４又は外壁２６などの外壁の１つ又は複数の移動に応答して、収納位置から展開位置へと移動してもよい。
【００８４】
いくつかの例では、客室モジュール２０は、椅子９０２及び椅子９０４などの複数の椅子を備える。いくつかの例では、椅子９０２及び椅子９０４は、外壁２６と共に移動可能なように、外壁２６に取り付けられている。すなわち、たとえば椅子９０２及び９０４は、外壁２６が略垂直となる収納位置から、外壁２６が略水平となる展開位置（たとえば図９Ｃに示すような）へと外壁２６と共に移動して、客室モジュール２０の床の一部を形成してもよい。他の例では、椅子９０２は、収納位置にあるときに床部３０上に載置され、また、たとえば１つ又は複数の外壁の移動に応答して、本客室モジュールが開放配置に展開されるときに展開位置に移動又はスライドしてもよい。
【００８５】
いくつかの例では、客室モジュール２０は、第１のスパキャビネット９０６及び第２のスパキャビネット９０８などの１つ又は複数のスパキャビネットを備える。いくつかの例では、本客室モジュールが閉鎖配置にあるときのスパキャビネット９０６及び９０８（たとえば図９Ｂに示すような）の収納位置は、それらがたとえば安全ロック機構によって保持された状態で、床部３０上に載置されるようになっている。いくつかの例では、スパキャビネット９０６及び９０８は、外壁２６などの外壁の１つ又は複数の移動に応答して、収納位置と展開位置（たとえば図９Ｃに示すような）との間で客室モジュール２０に対してスライド可能である。いくつかの例では、これらのスパキャビネットを、たとえば地上勤務員又は客室乗務員によって、収納位置と展開位置との間で手動で移動させてもよい。ただし、他の例では、開放配置にあるときにフロアパネル４２、外壁２６、床部３０、スライドフロアパネル５２及びスライドフロアパネル５４のうちの１つ又は複数など、本客室モジュールの床に形成される適切な多機能ガイドレールに沿うような、適切な駆動手段を使用して、これらのスパキャビネットを収納位置と展開位置との間で自動的に移動させてもよい。
【００８６】
図９Ａ〜図９Ｃの例に示す客室モジュールをスパとして配置構成されるものと説明しているが、所望通りの適切な備品及び機能性を備えた任意の適切な機能として、本客室モジュールを配置構成できることが理解される。
【００８７】
上記の例では、本客室モジュールを航空機に言及しながら説明しているが、本開示の例による１つ又は複数の客室モジュールは、たとえば列車、バス、ボート、宇宙船若しくは宇宙探査機、ヘリコプター、ドローン、又は他の車両などの他のタイプの車両又は輸送船でも同様に使用できることが理解される。いくつかの例では、本明細書に記載している客室モジュールは、たとえば１人又は複数の車両の乗客が使用するための、乗客用客室モジュールである。ただし、これらの客室モジュールを、必要に応じて変更を加えた貨物モジュールとして構成できることが理解される。いくつかの例では、閉鎖配置にある客室モジュールのフォームファクタは、たとえば容易に積み重ねて収納できるように、矩形立方体や箱形などの略矩形のプリズムであってもよいが、設計要件に応じて、他の任意の適切な形状も使用できることが理解される。
【００８８】
上記のいくつかの例は、外壁などの機構の水平方向性及び垂直方向性に関して記載している。ただしこれらは、たとえば１つ若しくは複数の客室モジュールの回転又はこれら１つ若しくは複数のモジュールにおける全ての異なる向きに関して、同一の相対位置関係をそれらの機構間に適用できるような、相対的な用語として解釈できることが理解される。さらに、たとえば水平及び垂直という用語で定義される相対位置は、たとえば設計要件に応じて互いに異なり得るものであり、また、垂直又は水平の位置若しくは向きを有するものとして記載している構成部品間の相対位置関係は、たとえば互いに他の適切な角度関係又は相対位置関係を有してもよいことが理解される。
【００８９】
本明細書には様々な例を記載しているが、これらを例示としてのみ提供するものであり、そのような例に対する多くの変形例及び修正例が当業者には明らかとなり、またこれらの変形例及び修正例は、添付の特許請求の範囲及びそれらの均等物によって定義される本発明の趣旨及び範囲内に含まれるものである。
【図１】
2021515725.tif 000003
【図２Ａ】
2021515725.tif 000004
【図２Ｂ】
2021515725.tif 000005
【図２Ｃ】
2021515725.tif 000006
【図２Ｄ】
2021515725.tif 000007
【図３】
2021515725.tif 000008
【図４】
2021515725.tif 000009
【図５】
2021515725.tif 000010
【図６】
2021515725.tif 000011
【図７】
2021515725.tif 000012
【図８Ａ】
2021515725.tif 000013
【図８Ｂ】
2021515725.tif 000014
【図８Ｃ】
2021515725.tif 000015
【図９Ａ】
2021515725.tif 000016
【図９Ｂ】
2021515725.tif 000017
【図９Ｃ】
2021515725.tif 000018
【国際調査報告】
2021515725.tif 000019
2021515725.tif 000020
2021515725.tif 000021